(57)【特許請求の範囲】
【請求項１】
ＰＯＮ（Passive  Optical  Network)システムであって、
光回線終端装置と、
光ネットワークユニットと、
前記光回線終端装置と前記光ネットワークユニットの間に複数のロジカルリンクを形成するための光通信回線とを備え、
前記光回線終端装置および前記光ネットワークユニットのうちの少なくとも一方は、前記ロジカルリンクごとのデータ通信の要否に基づいて、前記複数のロジカルリンクを、確立状態、休止状態、および切断状態のいずれかに個別に設定するロジカルリンク制御部を含み、
前記ロジカルリンク制御部は、前記確立状態にあるロジカルリンクを維持するための制御フレームを、前記ロジカルリンクを介して繰返し送信し、
前記ロジカルリンクが前記確立状態から前記休止状態に遷移した場合には、前記ロジカルリンク制御部は、前記制御フレームを、前記確立状態における前記制御フレームの繰り返しの間隔よりも長い間隔で送信する、ＰＯＮシステム。
【請求項２】
ロジカルリンク識別子が、前記複数のロジカルリンクのうち前記確立状態にあるロジカルリンクに割り当てられ、
前記ロジカルリンク識別子が割り当てられた前記ロジカルリンクが、前記確立状態から前記休止状態へと遷移した場合には、前記ロジカルリンク制御部は、前記ロジカルリンク識別子を保持する、請求項１に記載のＰＯＮシステム。
【請求項３】
前記ロジカルリンク制御部は、制御フレームを、前記確立状態にあるロジカルリンクを介して繰返し送信し、
前記ロジカルリンクが前記確立状態から前記休止状態に遷移した場合には、前記ロジカルリンク制御部は、前記制御フレームの送信を停止する、請求項１または請求項２に記載のＰＯＮシステム。
【請求項４】
前記光回線終端装置および前記光ネットワークユニットのうちの前記少なくとも一方は、前記確立状態にあるロジカルリンクを介したデータ通信の要否を判定する、通信要否判定部をさらに含み、
前記ロジカルリンク制御部が前記ロジカルリンクを前記切断状態または休止状態に設定するのは、前記データ通信が不要であると前記通信要否判定部によって判定されたときである、請求項１から請求項３のいずれか１項に記載のＰＯＮシステム。
【請求項５】
前記ロジカルリンクが休止状態から確立状態に復帰する、または、前記ロジカルリンクが前記切断状態から新しく確立されるのは、前記ロジカルリンクを介したデータ通信が必要となるときである、請求項１から請求項４のいずれか１項に記載のＰＯＮシステム。
【請求項６】
前記光ネットワークユニットは、ユーザ端末と前記光ネットワークユニットとの間のユーザリンクのためのユーザインターフェースを含み、
前記ユーザリンクによって、前記光回線終端装置と前記光ネットワークユニットとの間のロジカルリンクが確立され、
前記ロジカルリンクが休止状態である間に前記ユーザリンクが切断された場合には、前記ロジカルリンク制御部は、前記ロジカルリンクを前記切断状態に設定する、請求項１から請求項５のいずれか１項に記載のＰＯＮシステム。
【請求項７】
前記ロジカルリンク制御部は、休止状態または前記切断状態から前記確立状態にロジカルリンクの状態を遷移する場合には、前記確立状態にあるロジカルリンクを介して制御フレームを送信する、請求項１から請求項６のいずれか１項に記載のＰＯＮシステム。
【請求項８】
前記ロジカルリンク制御部は、少なくとも１つのロジカルリンクを前記確立状態に保つ、請求項１から請求項７のいずれか１項に記載のＰＯＮシステム。
【請求項９】
ＰＯＮシステムのための光回線終端装置であって、
複数のロジカルリンクの各々について、ロジカルリンクを介したデータ通信の要否を判定する通信要否判定部と、
前記データ通信が必要と判定される場合には、前記ロジカルリンクを確立する一方、前記ロジカルリンクの確立後に前記データ通信が不要と判定される場合には、前記ロジカルリンクの確立状態を解除するロジカルリンク制御部とを備え、
前記ロジカルリンク制御部は、前記確立状態にあるロジカルリンクを維持するための制御フレームを、前記ロジカルリンクを介して繰返し送信し、
前記ロジカルリンクが前記確立状態から休止状態に遷移した場合には、前記ロジカルリンク制御部は、前記制御フレームを、前記確立状態における前記制御フレームの繰り返しの間隔よりも長い間隔で送信する、光回線終端装置。
【請求項１０】
ＰＯＮシステムのための光ネットワークユニットであって、
複数のロジカルリンクの各々について、ロジカルリンクを介したデータ通信の要否を判定する通信要否判定部と、
前記データ通信が必要と判定される場合には、前記ロジカルリンクを確立する一方、前記ロジカルリンクの確立後に前記データ通信が不要と判定される場合には、前記ロジカルリンクの確立状態を解除するロジカルリンク制御部とを備え、
前記ロジカルリンク制御部は、前記確立状態にあるロジカルリンクを維持するための制御フレームを、前記ロジカルリンクを介して繰返し送信し、
前記ロジカルリンクが前記確立状態から休止状態に遷移した場合には、前記ロジカルリンク制御部は、前記制御フレームを、前記確立状態における前記制御フレームの繰り返しの間隔よりも長い間隔で送信する、光ネットワークユニット。
【請求項１１】
光回線終端装置と、光ネットワークユニットと、前記光回線終端装置と前記光ネットワークユニットの間に複数のロジカルリンクを形成するための光通信回線とを備えたＰＯＮシステムの制御方法であって、
データ通信の要否を判定するステップと、
前記データ通信の要否の判定に基づいて、前記複数のロジカルリンクを確立状態、休止状態、および切断状態のいずれかに個別に設定するステップとを備え、 前記設定するステップは、
前記確立状態にあるロジカルリンクを維持するための制御フレームを、前記ロジカルリンクを介して繰返し送信するステップと、
前記ロジカルリンクが前記確立状態から前記休止状態に遷移した場合に、前記制御フレームを、前記確立状態における前記制御フレームの繰り返しの間隔よりも長い間隔で送信するステップとを含む、ＰＯＮシステムの制御方法。
【発明の詳細な説明】
【技術分野】
【０００１】
本発明は、ＰＯＮ（Passive  Optical  Network）システム、光回線終端装置、光ネットワークユニット、およびＰＯＮシステムの制御方法に関する。
【背景技術】
【０００２】
ＰＯＮシステムは、光回線終端装置（ＯＬＴ）と、光ネットワークユニット（ＯＮＵ）と、ＯＬＴとＯＮＵとをつなぐ光通信回線とを含む。ＯＮＵが光通信回線を介してＯＬＴに接続された場合、ＯＬＴおよびＯＮＵはＭＰＣＰ（Multi-Point  Control  Protocol）制御フレームを交換して、ロジカルリンクを確立する。たとえば、以下に挙げた文献は、ＭＰＣＰを利用したロジカルリンクの制御を開示する。【０００３】
IEEE  Std  802.3av-2009  "77.3.3  Discovery  Processing",  "77.3.4  Report  Processing",  "77.3.5  Gate  Processing"(非特許文献１）
IEEE  Std  802.3ah-2004  "64.3.3  Discovery  Processing",  "64.3.4  Report  Processing",  "64.3.5  Gate  Processing"(非特許文献２）
たとえば特開２０１１−２１１２６２号公報（特許文献１）および特開２０１３−１７６１３８号公報（特許文献２）は、ＰＯＮシステムにおける帯域の割り当ての方法を開示する。【０００４】
たとえばIEEE  Std  1904.1-2013  "10  Power  saving"（非特許文献３）は、ＥＰＯＮ（Ethernet（登録商標）  PON）における消費電力の節約のための仕組みを定義する。
【先行技術文献】
【特許文献】
【０００５】
【特許文献１】特開２０１１−２１１２６２号公報
【特許文献２】特開２０１３−１７６１３８号公報
【非特許文献】
【０００６】
【非特許文献１】IEEE  Std  802.3av-2009  "77.3.3  Discovery  Processing",  "77.3.4  Report  Processing",  "77.3.5  Gate  Processing"
【非特許文献２】IEEE  Std  802.3ah-2004  "64.3.3  Discovery  Processing",  "64.3.4  Report  Processing",  "64.3.5  Gate  Processing"
【非特許文献３】IEEE  Std  1904.1-2013  "10  Power  saving"
【発明の概要】
【０００７】
本開示のＰＯＮ（Passive  Optical  Network)システムは、光回線終端装置と、光ネットワークユニットと、光回線終端装置と光ネットワークユニットの間に複数のロジカルリンクを形成するための光通信回線とを備える。光回線終端装置および光ネットワークユニットのうちの少なくとも一方は、複数のロジカルリンクを、確立状態および切断状態に個別に設定することが可能なように構成されたロジカルリンク制御部を含む。
【図面の簡単な説明】
【０００８】
【図１】本発明の実施の形態に係るＰＯＮシステムの構成を示した概略図である。
【図２】図１に示されたＰＯＮシステム１００におけるロジカルリンクを説明するための図である。
【図３】本発明の実施の形態に係るＰＯＮシステム１００に含まれるＯＬＴおよびＯＮＵの概略的な構成を示したブロック図である。
【図４】制御フレームの構造の例を示した図である。
【図５】本発明の実施の形態に係る、ロジカルリンクの状態の制御を説明するための模式図である。
【図６】本発明の一実施形態に係る、ＭＰＣＰフレームの伝送の制御を説明した図である。
【図７】本発明の他の実施形態に係る、ＭＰＣＰフレームの伝送の制御を説明した図である。
【図８】本発明の実施形態に係るＰＯＮシステム１００による、ロジカルリンクの状態の制御を説明するためのフローチャートである。
【図９】本発明の一実施形態に係る、ロジカルリンクの復帰あるいは、新規の確立のための制御を説明するための概略図である。
【図１０】図９に示されたロジカルリンクの復帰あるいは新規の確立のための制御の一例を説明するための概略図である。
【発明を実施するための形態】
【０００９】
［本開示が解決しようとする課題］
データ通信が無い場合にも、ロジカルリンクの確立のためにＯＬＴおよびＯＮＵはＭＰＣＰフレームを繰り返し交換する。ＯＮＵからＭＰＣＰフレームを送信するために、データ通信が無いにもかかわらず、帯域が消費される。
【００１０】
１つのＯＮＵは、複数のロジカルリンクを確立することができる。各々のロジカルリンクを介してＯＬＴとＯＮＵとの間でＭＰＣＰフレームが伝送される。したがって、ＯＬＴに接続されるＯＮＵの数が多いほど、多くの帯域が消費されやすい。この結果、データ通信を必要とするロジカルリンクに、帯域が有効に割り当てられないという問題が生じ得る。
【００１１】
上述のPower  saving機能は、それら複数のロジカルリンクをまとめて制御することができる。しかし、Power  saving機能は、複数のロジカルリンクの各々を個別に制御することはできない。
【００１２】
本開示によれば、複数のロジカルリンクの各々の状態を個別に制御可能なＰＯＮシステムが適用される。
［本開示の効果］
本開示によれば、複数のロジカルリンクの各々の状態を個別に制御することができる。
【００１３】
[本発明の実施形態の説明]
最初に本発明の実施態様を列記して説明する。
【００１４】
（１）本発明の一態様に係るＰＯＮ（Passive  Optical  Network)システムは、光回線終端装置と、光ネットワークユニットと、光回線終端装置と光ネットワークユニットの間に複数のロジカルリンクを形成するための光通信回線とを備える。光回線終端装置および光ネットワークユニットのうちの少なくとも一方は、複数のロジカルリンクを、確立状態および切断状態に個別に設定することが可能なように構成されたロジカルリンク制御部を含む。
【００１５】
上記の構成によれば、複数のロジカルリンクの各々の状態を個別に制御することができる。各ロジカルリンクの状態は、確立状態および切断状態のいずれかに限定されるものではない。光回線終端装置および光ネットワークユニットの一方または両方がロジカルリンク制御部を含むことができる。
【００１６】
（２）好ましくは、ロジカルリンク制御部は、さらに、複数のロジカルリンクを休止状態に個別に設定することが可能なように構成される。
【００１７】
上記の構成によれば、各ロジカルリンクの状態を、より細かく制御することができる。
（３）好ましくは、ロジカルリンク識別子が、複数のロジカルリンクのうち確立状態にあるロジカルリンクに割り当てられる。ロジカルリンク識別子が割り当てられたロジカルリンクが、確立状態から休止状態へと遷移した場合には、ロジカルリンク制御部は、ロジカルリンク識別子を保持する。
【００１８】
上記の構成によれば、ロジカルリンクを休止状態から確立状態に戻すことができる。そのロジカルリンクを介したデータ通信の必要が生じた場合に、データ通信の再開を早めることができる。
【００１９】
（４）好ましくは、ロジカルリンク制御部は、確立状態にあるロジカルリンクを維持するための制御フレームを、ロジカルリンクを介して繰返し送信する。ロジカルリンクが確立状態から休止状態に遷移した場合には、ロジカルリンク制御部は、制御フレームを、確立状態における制御フレームの繰り返しの間隔よりも長い間隔で送信する。
【００２０】
上記の構成によれば、制御フレームの伝送のために消費される帯域を少なくすることができる。したがって、確立状態にあるロジカルリンクに、データ通信のための帯域を有効に割り当てることができる。
【００２１】
（５）好ましくは、ロジカルリンク制御部は、制御フレームを、確立状態にあるロジカルリンクを介して繰返し送信する。ロジカルリンクが確立状態から休止状態に遷移した場合には、ロジカルリンク制御部は、制御フレームの送信を停止する。
【００２２】
上記の構成によれば、確立状態にあるロジカルリンクに、データ通信のための帯域を有効に割り当てることができる。
【００２３】
（６）好ましくは、光回線終端装置および光ネットワークユニットのうちの少なくとも一方は、確立状態にあるロジカルリンクを介したデータ通信の要否を判定する、通信要否判定部をさらに含む。ロジカルリンク制御部がロジカルリンクを切断状態または休止状態に設定するのは、データ通信が不要であると通信要否判定部によって判定されたときである。
【００２４】
上記の構成によれば、データ通信の必要のないロジカルリンクが確立状態から解除される。したがって、確立状態にあるロジカルリンクに、データ通信のための帯域を有効に割り当てることができる。
【００２５】
（７）好ましくは、ロジカルリンクが休止状態から確立状態に復帰する、または、前記ロジカルリンクが前記切断状態から新しく確立されるのは、前記ロジカルリンクを介したデータ通信が必要となるときである。
【００２６】
上記の構成によれば、データ通信の必要が生じた場合に、ロジカルリンクの状態に応じた制御が可能になる。たとえばロジカルリンクを休止状態から確立状態へと復帰させることにより、データ通信の再開を早めることができる。
【００２７】
（８）好ましくは、光ネットワークユニットは、ユーザ端末と光ネットワークユニットとの間のユーザリンクのためのユーザインターフェースを含む。ユーザリンクによって、光回線終端装置と光ネットワークユニットとの間のロジカルリンクが確立される。ロジカルリンクが休止状態である間にユーザリンクが切断された場合には、ロジカルリンク制御部は、ロジカルリンクを切断状態に設定する。
【００２８】
上記の構成によれば、ロジカルリンクを介したデータ通信を不要と判定して、そのロジカルリンクを切断することができる。したがって、確立状態にあるロジカルリンクに、データ通信のための帯域を有効に割り当てることができる。
【００２９】
（９）好ましくは、ロジカルリンク制御部は、休止状態または切断状態から確立状態にロジカルリンクの状態を遷移する場合には、確立状態にあるロジカルリンクを介して制御フレームを送信する。
【００３０】
上記の構成によれば、ロジカルリンクを早く確立することができる。
（１０）好ましくは、ロジカルリンク制御部は、少なくとも１つのロジカルリンクを確立状態に保つ。
【００３１】
上記の構成によれば、確立状態にあるロジカルリンクを通じて制御フレームを伝送することができる。これにより、休止状態にあるロジカルリンクを確立状態に速く復帰させることができる。あるいは、新しいロジカルリンクを速く確立することができる。
【００３２】
（１１）本発明の一態様に係る、ＰＯＮシステムのための光回線終端装置は、複数のロジカルリンクの各々について、ロジカルリンクを介したデータ通信の要否を判定する通信要否判定部と、ロジカルリンク制御部とを備える。ロジカルリンク制御部は、データ通信が必要と判定される場合には、ロジカルリンクを確立する一方、ロジカルリンクの確立後にデータ通信が不要と判定される場合には、ロジカルリンクの確立状態を解除する。
【００３３】
上記の構成によれば、複数のロジカルリンクの各々の状態を個別に制御することができる。
【００３４】
（１２）本発明の一態様に係る、ＰＯＮシステムのための光ネットワークユニットは、複数のロジカルリンクの各々について、ロジカルリンクを介したデータ通信の要否を判定する通信要否判定部と、ロジカルリンク制御部とを備える。ロジカルリンク制御部は、データ通信が必要と判定される場合には、ロジカルリンクを確立する一方、ロジカルリンクの確立後にデータ通信が不要と判定される場合には、ロジカルリンクの確立状態を解除する。
【００３５】
上記の構成によれば、複数のロジカルリンクの各々の状態を個別に制御することができる。
【００３６】
（１３）本発明の一態様に係るＰＯＮシステムの制御方法は、光回線終端装置と、光ネットワークユニットと、光回線終端装置と前記光ネットワークユニットの間に複数のロジカルリンクを形成するための光通信回線とを備えたＰＯＮシステムの制御方法である。制御方法は、データ通信の要否を判定するステップと、データ通信の要否の判定に基づいて、複数のロジカルリンクを確立状態および切断状態に個別に設定するステップとを備える。
【００３７】
上記の構成によれば、複数のロジカルリンクの各々の状態を個別に制御することができる。
【００３８】
（１４）好ましくは、設定するステップは、複数のロジカルリンクを休止状態に設定するステップを含む。
【００３９】
上記の構成によれば、各ロジカルリンクの状態を、より細かく制御することができる。
[本発明の実施形態の詳細]
以下、本発明の実施の形態について図面を用いて説明する。なお、図中同一または相当部分には同一符号を付してその説明は繰り返さない。
【００４０】
図１は、本発明の実施の形態に係るＰＯＮシステムの構成を示した概略図である。図１を参照して、ＰＯＮシステム１００は、ＯＬＴ１０１と、少なくとも１つのＯＮＵ１０２と、光ファイバ１０３（光通信回線）と、光スプリッタ１０４とを含む。ＰＯＮシステム１００は、ＧＥ（Gigabit  Ethernet（登録商標））−ＰＯＮおよび１０Ｇ−ＥＰＯＮの一方または両方であり得る。以下では、ＯＮＵ１０２からＯＬＴ１０１への方向を「上り方向」と称し、ＯＬＴ１０１からＯＮＵ１０２への方向を「下り方向」と称する。
【００４１】
ＯＬＴ１０１は、光ファイバ１０３および光スプリッタ１０４によって、ＯＮＵ１０２と接続される。ＯＬＴ１０１は、たとえば局舎に設置され、上位ネットワーク１０６に接続される。さらに、ＯＬＴ１０１は、ＯＮＵ１０１からの光信号を終端する。このためＯＬＴ１０１は、「局側装置」と呼ぶことができる。
【００４２】
ＯＮＵ１０２は、光ファイバ１０３を通じて、ＯＬＴ１０１に光信号を送信する。ＯＬＴ１０１からの光信号は、光ファイバ１０３を通じて、ＯＮＵ１０２に送られる。ＯＮＵ１０２は、「宅側装置」あるいは「ユーザ側装置」と呼ぶことができる。
【００４３】
光スプリッタ１０４によって、光ファイバ１０３が分岐される。これにより、複数のＯＮＵ１０２を１つのＯＬＴ１０１に接続することができる。
【００４４】
ＯＮＵ１０２は、ＰＯＮインターフェース１１１と、ユーザインターフェース１１２とを含む。ＰＯＮインターフェース１１１は、光ファイバ１０３（光通信回線）を通じてＯＮＵ１０２がＯＬＴ１０１と通信するためのインターフェースである。ユーザインターフェース１１２は、ユーザ端末１０５をＯＮＵ１０２に接続するためのインターフェースである。ユーザ端末１０５は、ＯＮＵ１０２を通じて、アプリケーションデータを送信および受信する。
【００４５】
ユーザインターフェース１１２とユーザ端末１０５との間の接続により、ユーザリンクが確立される。ユーザリンクが確立することにより、ＯＬＴ１０１とＯＮＵ１０２との間にロジカルリンクを確立することができる。
【００４６】
各ＯＮＵ１０２に接続されるユーザ端末１０５の数は特に限定されない。ＯＮＵ１０２に複数のユーザ端末が接続されていてもよい。また、ユーザ端末１０５の種類も特に限定されない。一例では、ユーザ端末１０５はパーソナルコンピュータである。
【００４７】
ＰＯＮの物理的構成によれば、複数のＯＮＵ１０２が、ＯＬＴ１０１から送信されたデータを受信可能である。各ＯＮＵ１０２は、ＯＬＴ１０１から送信されたデータのうち、受信すべきデータを選択し、その選択したデータを受信する。
【００４８】
一方、各ＯＮＵから送信される光信号は光スプリッタ１０４において合流する。各ＯＮＵからの上り信号が光スプリッタ１０４で合流するときに、複数の上り信号が衝突しないための制御が必要である。このためＯＬＴ１０１は、各ＯＮＵ１０２に帯域を割り当てる。各ＯＮＵ１０２からの上り方向のデータは時分割多重に従って送信される。
【００４９】
上記の通信を実現するために、少なくとも１つの論理的な経路が、ＯＬＴ１０１と各ＯＮＵ１０２との間に形成される。この論理的な経路は「ロジカルリンク」と呼ばれる。
【００５０】
ロジカルリンクを識別するために、ＯＬＴ１０１は、ＭＰＣＰに従い、ロジカルリンク識別子（ＬＬＩＤ：Logical  Link  ID）を、各ロジカルリンクに割り当てる。ＯＬＴ１０１は、送信フレームのプリアンブル部分に、ＬＬＩＤを挿入する。そのＬＬＩＤによって識別されたロジカルリンクを通じて、ＯＬＴ１０１とＯＮＵ１０２との間でデータが伝送される。
【００５１】
ＭＰＣＰは、ロジカルリンクを制御するためのプロトコルである。ＭＰＣＰによって、以下に説明する機能が実行される。
【００５２】
（ａ）  ＯＬＴ１０１が複数のＯＮＵ１０２を認識し、各ＯＮＵ１０２と通信するために必要なＲＴＴ（Round  Trip  Time:往復遅延時間）を測定し、各ＯＮＵ１０２にＬＬＩＤを付与するディスカバリ機能。
【００５３】
（ｂ）  各ＯＮＵ１０２にタイムスロットを割り当てて、各ＯＮＵ１０２からの上りバースト信号を時間軸上に多重する時分割多重制御機能。
【００５４】
（ｃ）  各ＯＮＵ１０２とＯＬＴ１０１との間の時刻同期機能。
図２は、図１に示されたＰＯＮシステム１００におけるロジカルリンクを説明するための図である。図２を参照して、複数のＯＮＵ１０２のうち、ＯＮＵ１０２1は、通信回線１２１によってＯＬＴ１０１に物理的に接続されるとともに、ロジカルリンク１３１，１３２，１３３，・・・１３ｍによってＯＬＴ１０１に論理的に接続される。複数のＯＮＵ１０２のうち、ＯＮＵ１０２nは、通信回線１２ｎによってＯＬＴ１０１に物理的に接続されるともに、ロジカルリンク１４１，１４２，１４３，・・・，１４ｍによって、ＯＬＴ１０１に論理的に接続される。ｍは１以上の任意の整数を表す。なお、ロジカルリンク１３１，１３２，１３３，・・・１３ｍの数と、ロジカルリンク１４１，１４２，１４３，・・・，１４ｍの数とは異なり得る。
【００５５】
通信回線１２１，１２ｎの各々は、図１に示された光ファイバ１０３の一部である。ＯＬＴ１０１がＯＮＵ１０２1を認識する間、ロジカルリンク１３１，１３２，１３３，・・・１３ｍのうちの最低１つのロジカルリンクが確立する。同様に、ＯＬＴ１０１がＯＮＵ１０２nを認識する間、ロジカルリンク１４１，１４２，１４３，・・・１４ｍのうちの最低１つのロジカルリンクが確立する。各ロジカルリンクに対してＬＬＩＤが割り当てられる。
【００５６】
各ＯＮＵのロジカルリンクの数は任意である。本発明の実施の形態では、ＯＮＵ１０２の配下にあるユーザ端末１０５の通信状況に応じて、ＯＬＴ１０１およびＯＮＵ１０２の少なくとも一方が、複数のロジカルリンクの状態を個別に制御する。
【００５７】
図３は、本発明の実施の形態に係るＰＯＮシステム１００に含まれるＯＬＴおよびＯＮＵの概略的な構成を示したブロック図である。図３を参照して、複数のＯＮＵ１０２のうち、代表的にＯＮＵ１０２1の構成が示される。他のＯＮＵの構成は、図３に示された構成と同じである。ＯＮＵ１０２1は、ＰＯＮインターフェース１１１およびユーザインターフェース１１２に加えて、ロジカルリンク制御部１１３と、通信要否判定部１１４と、送信／受信部１１５とを含む。
【００５８】
ロジカルリンク制御部１１３は、通信要否判定部１１４の判定結果に従って、複数のロジカルリンクの各々の状態を個別に制御することができる。具体的には、ロジカルリンク制御部１１３は、複数のロジカルリンク１３１，１３２，１３３，・・・１３ｍの各々を、確立状態、切断状態および休止状態のいずれかに制御する。「切断状態」および「休止状態」の各々は、ロジカルリンクが確立状態から解除された状態に相当する。
【００５９】
通信要否判定部１１４は、ロジカルリンクごとにデータ通信（上りデータの送信）の要否を判定することができる。通信要否判定部１１４は、上りデータの送信の要否を判定する。判定の具体的な方法は後に詳細に説明される。
【００６０】
送信／受信部１１５は、ユーザインターフェース１１２を介して、ユーザ端末１０５からＯＮＵ１０２1に送られたデータを受ける。送信／受信部１１５は、そのデータをＯＬＴ１０１に送信する。ロジカルリンク１３１〜１３ｍのうち、そのデータに関連付けられたロジカルリンクが、そのデータ（上りデータ）の送信に用いられる。
【００６１】
送信／受信部１１５は、ＯＬＴ１０１からのデータ（下りデータ）を受信する。そのデータの伝送のためのロジカルリンクは、ＬＬＩＤに基づいて特定される。送信／受信部１１５は、そのデータを、ユーザインターフェース１１２を介してユーザ端末１０５に送信する。
【００６２】
上りデータの送信および下りデータの受信のために、送信／受信部１１５は、光トランシーバ１１６を含む。図３において、光トランシーバ１１６は、「ＴＲｘ」と表記される。
【００６３】
光トランシーバ１１６は、光信号と電気信号とを相互に変換する。光トランシーバ１１６は、ＯＬＴ１０１へ送られる光信号を生成するために発光する。一方、光トランシーバ１１６は、ＯＬＴ１０１からの光信号を受信して、その光信号を電気信号に変換する。
【００６４】
ＯＬＴ１０１は、ＰＯＮインターフェース１５１と、ロジカルリンク制御部１５３と、通信要否判定部１５４と、送信／受信部１５５とを含む。
【００６５】
ＯＮＵ１０２1のロジカルリンク制御部１１３と同じく、ロジカルリンク制御部１５３は複数のロジカルリンクの各々の状態を個別に制御することができる。ロジカルリンク制御部１５３は、通信要否判定部１５４の判定結果に従って、複数のロジカルリンクの各々を、確立状態、切断状態および休止状態のいずれかに制御することができる。ロジカルリンク制御部１５３は、ＯＬＴ１０１に接続されるすべてのＯＮＵ１０２のロジカルリンクを個別に制御してもよい。
【００６６】
ＯＮＵ１０２1の通信要否判定部１１４と同じく、通信要否判定部１５４は、ロジカルリンクごとにデータ通信（下りデータの送信）の要否を判定することができる。判定の具体的な方法については後に詳細に説明される。
【００６７】
送信／受信部１５５は、上位ネットワーク１０６を介してＯＬＴ１０１に送られたデータを受ける。送信／受信部１５５は、データにＬＬＩＤを付与して、そのＬＬＩＤに対応づけられたロジカルリンクを介して、そのデータを送信する。一方、送信／受信部１１５は、各ロジカルリンクを介してデータを受信する。送信／受信部１１５は、そのデータを、必要に応じて上位ネットワーク１０６に送出する。図示しないが、送信／受信部１５５は、光トランシーバを含む。
【００６８】
データだけでなく制御プロトコルに基づく制御フレームがＯＬＴ１０１と各ＯＮＵ１０２との間で伝送される。
【００６９】
図４は、制御フレームの構造の例を示した図である。図４を参照して、制御フレームは、宛先アドレス、送信元アドレス、レングス／タイプ（Length/Type）、オペレーションコード（Opcode）、タイムスタンプ、データ、パディング、およびＦＣＳから構成される。
【００７０】
オペレーションコード（Opcode）のフィールドには、制御フレームの種類を識別するためのコードが挿入される。ＭＰＣＰの場合、たとえばディスカバリゲート（Discovery  Gate）、レジスタリクエスト（Register  Request）、レジスタ（Register）、ゲート（ノーマルゲートとも呼ばれる；Gate）、レジスタＡＣＫ（Register  Ack）、レポート（Report）などのメッセージを用いて双方向の通信が確立される。これらのメッセージはオペレーションコードによって判別される。それぞれのメッセージではデータフィールドの内容が異なる。
【００７１】
ＭＰＣＰプロトコルに基づくフレーム（ＭＰＣＰフレーム）がＯＬＴ１０１と各ＯＮＵ１０２との間で伝送される。ロジカルリンクを確立するために、ＯＬＴ１０１は、基本的には、ＭＰＣＰフレームを繰り返し送信する。たとえば数ミリ秒の周期でＯＬＴ１０１は、ＭＰＣＰフレームを送信する。ＯＮＵ１０２1の送信／受信部１１５は、ＯＬＴ１０１からのＭＰＣＰフレーム（たとえばＭＰＣＰゲートフレーム）を受けて、そのフレームへの応答のためのＭＰＣＰフレーム（たとえばレポートフレーム）を出力する。
【００７２】
ロジカルリンクが一旦確立すれば、データ通信が無い場合であっても、ＭＰＣＰフレームを伝送することによって、そのロジカルリンクを確立した状態に保つことができる。しかし、ＯＮＵ１０２からＯＬＴ１０１へのＭＰＣＰフレームの伝送のために、帯域を割り当てなければならない。このため、データ通信に割り当てることができる帯域が減少する。
【００７３】
上記のように、１つのＯＮＵにおいて、複数のロジカルリンクが確立されることがある。データ通信に必要なロジカルリンクと、データ通信を必要としないロジカルリンクとが複数のロジカルリンクに混在する可能性がある。したがって、帯域をデータ通信のために有効に割り当てることができないことが起こり得る。
【００７４】
本発明の実施の形態では、データ通信の有無に応じて、ロジカルリンクの状態を制御する。これにより、帯域をデータ通信のために有効に活用することができる。さらに、本実施の形態によれば、ロジカルリンクの状態を、確立状態および切断状態に加えて休止状態に制御することができる。以下に説明するように複数のロジカルリンクの各々の状態を細かく制御することができる。
【００７５】
図５は、本発明の実施の形態に係る、ロジカルリンクの状態の制御を説明するための模式図である。図５を参照して、ロジカルリンクが確立している場合（状態１１）、そのロジカルリンクを介したデータ通信が可能である。１つの実施の形態では、図５中の符号（１）〜（４）によって示されるように、ロジカルリンクの状態が遷移する。以下では、代表的に、ロジカルリンク制御部１１３の制御が説明される。ロジカルリンク制御部１５３による制御も、以下の制御と同様である。
【００７６】
（１）所定の第１の時間ｔ１の間、データ通信がない場合には、ロジカルリンク制御部１１３は、ロジカルリンクを確立状態（状態１１）から休止状態（状態１２）へ遷移させる。休止状態の間、ロジカルリンク制御部１１３は、そのロジカルリンクに割り当てられたＬＬＩＤを保持する。
【００７７】
（２）休止状態の時間が所定の第２の時間ｔ２を経過するまでに、データ通信がない場合には、ロジカルリンク制御部１１３は、ロジカルリンクを、休止状態（状態１２）から切断状態（状態１３）へと遷移させる。たとえば、ユーザ端末１０５が長時間使用されていない場合に、ユーザ端末１０５の電源がオフされることがある。このような場合に、ロジカルリンク制御部１１３は、ロジカルリンクを休止状態から切断状態へ遷移させてもよい。
【００７８】
あるいは、ユーザ端末１０５とＯＮＵ１０２とを接続するためのＬＡＮ（Local  Area  Network）ケーブルがユーザ端末１０５から外れることが起こり得る。ＯＮＵ１０２は、ユーザインターフェース１１２とユーザ端末１０５との間の接続が切断されたことを検出してもよい。この場合には、ロジカルリンク制御部１１３は、ロジカルリンクを休止状態から切断状態へと直ちに遷移させてもよい。
【００７９】
（３）休止状態の時間が所定の第２の時間ｔ２を経過するまでに、データ通信があった場合には、ロジカルリンク制御部１１３は、ロジカルリンクを休止状態（状態１２）から確立状態（状態１１）へ遷移させる。休止状態ではＬＬＩＤ（ユニキャストＬＬＩＤ）が保持されているので、そのＬＬＩＤが再利用される。これにより、ロジカルリンクの状態を休止状態から確立状態に早く戻すことができる。そのロジカルリンクを介したデータ通信の必要が生じた場合に、データ通信の再開を早めることができる。
【００８０】
（４）切断状態に移行した後にデータ通信がある場合には、ロジカルリンクは、切断状態（状態１３）から確立状態（状態１１）へ移行する。言い換えると、新しいロジカルリンクが確立される。新しいロジカルリンクを確立するために、処理は、ＬＬＩＤの再取得から始められる。ＯＬＴ１０１は、ブロードキャストＬＬＩＤまたはマルチキャストＬＬＩＤを通じて、ロジカルリンクの確立をＯＮＵに命令する。
【００８１】
本発明の実施の形態では、ロジカルリンクの状態に応じてＭＰＣＰフレームの伝送の間隔が制御される。図６は、本発明の一実施形態に係る、ＭＰＣＰフレームの伝送の制御を説明した図である。図６を参照して、ロジカルリンクの状態が確立状態である場合には、ＭＰＣＰフレームは、通常の周期（たとえば数ミリ秒）で、ＯＬＴ１０１とＯＮＴ１０２との間で伝送される。これは、そのロジカルリンクの確立を維持するためである。
【００８２】
ロジカルリンクが休止状態である場合には、通常の周期よりも長い周期でＭＰＣＰフレームが伝送される。ＯＬＴ１０１のロジカルリンク制御部１５３が、ＭＰＣＰフレームの伝送の周期を制御してもよい。あるいは、ＯＮＵ１０２のロジカルリンク制御部１５３が、ＭＰＣＰフレームの伝送の周期を制御してもよい。ＭＰＣＰフレームの伝送の周期は、特に限定されないが、たとえば１秒である。
【００８３】
ロジカルリンクが切断状態である場合には、ＭＰＣＰフレームは伝送されない。ロジカルリンクの休止状態および切断状態において、ＯＮＵ１０２によるＭＰＣＰフレームの送信の頻度を低下させることにより、ＭＰＣＰフレームの伝送による帯域の消費を抑えることができる。したがって、確立したロジカルリンクを介したデータ通信のために帯域を有効に割り当てることができる。さらに、光トランシーバ１１６（図３を参照）の発光の間隔が長くなることにより、ＯＮＵ１０２1の消費電力を低減することができる。
【００８４】
図７は、本発明の他の実施形態に係る、ＭＰＣＰフレームの伝送の制御を説明した図である。図７を参照して、ロジカルリンクの休止状態および切断状態において、ＭＰＣＰフレームは伝送されない。このような制御によって、確立したロジカルリンクを介したデータ通信のために帯域を有効に割り当てることができる。
【００８５】
ロジカルリンクの休止状態において、以下の制御が実行されてもよい。まず、通常の周期よりも長い周期で、ＭＰＣＰフレームが伝送される。所定の時間の経過後にＭＰＣＰフレームの伝送が停止される。図６によって示された制御に比べて、確立したロジカルリンクを介したデータ通信のために帯域を有効に割り当てることができる。
【００８６】
図８は、本発明の実施形態に係るＰＯＮシステム１００による、ロジカルリンクの状態の制御を説明するためのフローチャートである。この制御は、たとえば一定の周期で、ロジカルリンクごとに実行される。図３および図８を参照して、ステップＳ１において、データ通信の必要の有無が判定される。この判定は、ＯＮＵ１０２の通信要否判定部１１４、および、ＯＬＴ１０１の通信要否判定部１５４の両方により実行される。
【００８７】
ＯＮＵ１０２の通信要否判定部１１４は、上り方向のデータ通信の必要の要否を判定する。通信要否判定部１１４による判定のいくつかの実施形態を以下に記載する。
【００８８】
（１）ＯＮＵ１０２のユーザインターフェース１１２と、ユーザ端末１０５との間でのユーザリンクが確立済である場合に、ＯＮＵ１０２の通信要否判定部１１４は、データ通信が必要であると判定してもよい。通信要否判定部１１４は、ユーザインターフェース１１２においてユーザリンクが確立したかどうかを判定する。ＯＮＵ１０２が複数のユーザインターフェースを有する場合には、通信要否判定部１１４は、ユーザインターフェースを選択することができる。通信要否判定部１１４は、その選択されたユーザインターフェースにおけるユーザリンクの有無を監視する。ユーザリンクが存在する場合には、通信要否判定部１１４は、データ通信が必要であると判定することができる。
【００８９】
（２）ＯＮＵ１０２のユーザインターフェース１１２がフレームを受信した場合に、通信要否判定部１１４は、データ通信の必要が有ると判定してもよい。そのフレームは、任意のフレームであってもよい。あるいは、ユーザインターフェース１１２が、以下に記載されたフレームを受信した場合に、通信要否判定部１１４は、データ通信の必要が有ると判定してもよい。
【００９０】
（２−１）  ＡＲＰ（Address  Resolution  Protocol）フレーム、ＩＰｖ４  ＤＨＣＰ(Dynamic  Host  Configuration  Protocol)のＤｉｓｃｏｖｅｒ  フレーム、または、ＩＰｖ６のＮＤＰ（Neighbor  Discovery）フレーム。
【００９１】
（２−２）  ユーザによって予め定義されたフレーム。
（２−３）  （２−１）に記載のフレームおよび（２−２）に記載のフレームのうちの少なくとも１つのフレーム。
【００９２】
（２−１）に列挙されたフレームは、ユーザ端末１０５がデータ通信を開始するためのトリガを生じさせるフレームである。ＡＲＰフレームは、通信相手のＩＰアドレス（Ｌ３アドレス）から物理アドレス（Ｌ２アドレスまたはＭＡＣ（Media  Access  Control)アドレス）を求めるためのフレームである。ＤＨＣＰは、ホストがネットワーク機器に対してＩＰアドレスを動的に付与するためのプロトコルである。ＤＨＣＰクライアントがＤＨＣＰサーバからＩＰアドレスを取得する場合、ＤＨＣＰ  Ｄｉｓｃｏｖｅｒフレームをブロードキャストし、同じセグメントのネットワークに問合せる。ＤＨＣＰサーバは、Ｄｉｓｃｏｖｅｒフレームに応答して、IPアドレスの情報をＤＨＣＰクライアントに通知するためのＤＨＣＰ  Ｏｆｆｅｒ  フレームを送信する。ＮＤＰは、リンク上に存在する近隣ノードのＭＡＣアドレスの判別に用いられるプロトコルである。
【００９３】
（３）ＯＮＵ１０２のユーザインターフェース１１２と、ＯＮＵ１０２のＰＯＮインターフェース１１１とにおいて、フレームの量（データ量）が基準値を超えた場合に、通信要否判定部１１４は、データ通信の必要が有ると判定してもよい。
【００９４】
（４）ＯＮＵ１０２が自律的にＯＬＴ１０１に通知するデータが発生した場合に、通信要否判定部１１４は、データ通信の必要が有ると判定してもよい。そのデータは、たとえば、ＯＬＴ１０１への通知を要するイベントの発生に関するデータであってもよい。
【００９５】
（５）ＯＮＵ１０２のユーザインターフェース１１２において、ユーザリンクが解除された場合に、通信要否判定部１１４は、データ通信の必要が無いと判定してもよい。たとえばポートがダウンする場合、あるいは、ユーザ端末１０５の電源がオフされる場合にユーザリンクが解除される。このような場合に、通信要否判定部１１４は、データ通信の必要が無いと判定することができる。
【００９６】
（６）ＯＮＵ１０２のユーザインターフェース１１２が以下のフレームを受信した場合に、通信要否判定部１１４は、データ通信が不要であると判定してもよい。
【００９７】
（６−１）  ＩＰｖ４  ＤＨＣＰのＲｅｌｅａｓｅ  フレームもしくはＤｅｃｌｉｎｅ  フレーム、または、ＩＰｖ６のＲｅｌｅａｓｅ  フレームもしくはＤｅｃｌｉｎｅ  フレーム。
【００９８】
（６−２）  ユーザによって予め定義されたフレーム。
（６−３）  （６−１）に記載のフレームおよび（６−２）に記載のフレームのうちの少なくとも１つのフレーム。
【００９９】
（６−１）に列挙されたフレームは、ユーザ端末１０５がデータ通信を切断するために用いられるフレームである。Ｒｅｌｅａｓｅ  フレームは、ＤＨＣＰプロトコルによって取得されたＩＰアドレスを解放するためのフレームである。Ｄｅｃｌｉｎｅ  フレームは、ＤＣＨＰサーバが割り当てようとするＩＰアドレスが、既に使用中であることを通知するためのフレームである。
【０１００】
（７）ＯＮＵ１０２のユーザインターフェース１１２と、ＯＮＵ１０２のＰＯＮインターフェース１１１とにおいて、フレームの量（データ量）が基準値以下である場合に、通信要否判定部１１４は、データ通信が不要であると判定してもよい。
【０１０１】
ＯＬＴ１０１の通信要否判定部１５４は、下り方向のデータ通信の必要の有無を判定する。未確立のロジカルリンクに関係するフレームがＰＯＮインターフェース１５１から送信された場合に、通信要否判定部１５４は、データ通信の必要があると判定することができる。一方、確立されたロジカルリンクに関係する下り方向のデータ量が所定の量以下の場合には、通信要否判定部１５４は、データ通信が不要であると判定することができる。
【０１０２】
データ通信が必要であると判定された場合（ステップＳ１においてＹＥＳ）、処理はステップＳ２に進む。ステップＳ２において、ロジカルリンクが確立状態にされる。データ通信が必要である場合には、ステップＳ１，Ｓ２の処理が繰り返し実行される。ＯＬＴ１０１とＯＬＴ１０２との間では、ＭＰＣＰフレームが通常の周期で伝送される。したがって、そのロジカルリンクは確立されたまま維持される。
【０１０３】
データ通信がの必要が無いと判定された場合（ステップＳ１においてＮＯ）、処理はステップＳ３に進む。ステップＳ３において、ロジカルリンクの現在の状態が確立状態であるか否かが判定される。この判定は、ＯＬＴ１０１のロジカルリンク制御部１５３またはＯＮＵ１０２のロジカルリンク制御部１１３によって実行される。
【０１０４】
ロジカルリンクの現在の状態が確立状態であると判定された場合（ステップＳ３においてＹＥＳ）、処理はステップＳ４に進む。ステップＳ４において、ロジカルリンクを休止させるための条件が成立したかどうかが判定される。この判定は、ＯＬＴ１０１のロジカルリンク制御部１５３またはＯＮＵ１０２のロジカルリンク制御部１１３によって実行される。ロジカルリンクを休止させるための条件とは、たとえば、データ通信の必要が無くなってから所定の第１の時間ｔ１が経過したという条件である。
【０１０５】
ロジカルリンクを休止させるための条件が成立したと判定された場合（ステップＳ４においてＹＥＳ）、処理はステップＳ５に進む。ステップＳ５において、ＯＬＴ１０１のロジカルリンク制御部１５３またはＯＮＵ１０２のロジカルリンク制御部１１３は、ロジカルリンクを休止状態にする。たとえばロジカルリンク制御部１５３がロジカルリンクを休止状態にしてもよい。そのロジカルリンクのＬＬＩＤは保持される。ステップＳ５の処理が終了すると、処理は、ステップＳ１に戻される。
【０１０６】
休止状態においては、ＭＰＣＰフレームは、通常よりも長い周期でＯＬＴ１０１とＯＮＵ１０２との間を伝送されてもよい（図６を参照）。あるいは、休止状態においては、ＭＰＣＰフレームは、伝送されなくてもよい（図７を参照）。あるいは、通常の周期よりも長い周期で、ＭＰＣＰフレームが伝送され、所定の時間の経過後に、ＭＰＣＰフレームの伝送が停止されてもよい。
【０１０７】
一方、ロジカルリンクを休止させるための条件が成立していないと判定された場合（ステップＳ４においてＮＯ）、処理は、ステップＳ１に戻される。すなわち、ロジカルリンクの状態は、確立状態のままに維持される。
【０１０８】
ロジカルリンクの現在の状態が確立状態ではないと判定された場合（ステップＳ３においてＮＯ）、処理はステップＳ６に進む。ステップＳ６において、ロジカルリンクを切断するための条件が成立したかどうかが判定される。この判定は、ＯＬＴ１０１のロジカルリンク制御部１５３またはＯＮＵ１０２のロジカルリンク制御部１１３によって実行される。ロジカルリンクを切断するための条件とは、たとえば、ロジカルリンクが休止状態である時間が、第２の時間ｔ２を超えたという条件である。
【０１０９】
ロジカルリンクを切断するための条件が成立したと判定された場合（ステップＳ６においてＹＥＳ）、処理はステップＳ７に進む。ステップＳ７において、ＯＬＴ１０１のロジカルリンク制御部１５３またはＯＮＵ１０２のロジカルリンク制御部１１３は、ロジカルリンクを切断状態にする。ステップＳ７の処理が終了すると、処理は、ステップＳ１に戻される。
【０１１０】
一方、ロジカルリンクを切断するための条件が成立していないと判定された場合（ステップＳ６においてＮＯ）、処理は、ステップＳ１に戻される。ロジカルリンクの状態は、休止状態である。
【０１１１】
このように本実施の形態によれば、データ通信が不要と判定された場合に、ＯＬＴ１０１のロジカルリンク制御部１５３またはＯＮＵ１０２のロジカルリンク制御部１１３は、そのロジカルリンクを切断状態または休止状態のいずれかに設定する。一方、休止状態にあるロジカルリンクを介したデータ通信の必要が生じた場合、ロジカルリンクを確立状態へと復帰させる。データ通信に必要なロジカルリンクの状態が休止状態および確立状態といずれとも異なる場合には、そのデータ通信のための新しいロジカルリンクが確立される。このように、本実施の形態によれば、データ通信の必要が生じた場合に、ロジカルリンクの状態に応じた制御が可能になる。
【０１１２】
ロジカルリンクが休止状態から確立状態へと復帰する場合には、復帰に要する時間ができるだけ短いことが好ましい。データ通信が遅延する可能性を低減することができる。同じ理由により、あるロジカルリンクが切断された後に、新しいロジカルリンクを確立する際にも、リンクの確立に要する時間が短いことが好ましい。
【０１１３】
図９は、本発明の一実施形態に係る、ロジカルリンクの復帰あるいは、新規の確立のための制御を説明するための概略図である。図９を参照して、たとえばロジカルリンク１３３が休止状態にある。ロジカルリンク１３３を復帰させる（ロジカルリンクを確立させる）ために、確立状態のロジカルリンクを経由して、ＯＬＴ１０１とＯＮＵ１０２との間でＭＰＣＰフレームが伝送される。たとえば、ＭＰＣＰフレームは、ロジカルリンク１３２を経由して、ＯＬＴ１０１とＯＮＵ１０２との間で伝送される。確立状態のロジカルリンクの帯域を利用して、ＭＰＣＰフレームを伝送することにより、休止状態のロジカルリンクを確立状態に復帰させるために要する時間を短くすることができる。これによりデータ通信の再開を早めることができる。
【０１１４】
ロジカルリンク１３３が切断された状態から、新しいロジカルリンク（ロジカルリンク１３３に代わるリンク）を確立する場合にも、確立状態のロジカルリンクを経由して、ＯＬＴ１０１とＯＮＵ１０２との間でＭＰＣＰフレームが伝送されてもよい。新しいロジカルリンクを確立する際にも、確立済みのリンクを経由してＭＰＣＰフレームを伝送することにより、新しいロジカルリンクを確立するために要する時間を短くすることができる。
【０１１５】
図１０は、図９に示されたロジカルリンクの復帰あるいは新規の確立のための制御の一例を説明するための概略図である。図１０を参照して、ＯＬＴ１０１とＯＮＵ１０２との間に、最低１つのロジカルリンクが常時確立される。これにより、ロジカルリンクが休止状態から確立状態へと復帰する場合に、復帰に要する時間を短くすることができる。これによりデータ通信の再開を早めることができる。同じように、新しいロジカルリンクを確立する際にも、リンクの確立に要する時間を短くすることができる。
【０１１６】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【符号の説明】
【０１１７】
１１，１２，１３  状態、１２１，１２ｎ  通信回線、１３１〜１３ｍ，１４１〜１４ｍ  ロジカルリンク、１００  ＰＯＮシステム、１０１  ＯＬＴ，１０２，１０２1，１０２n  ＯＮＵ、１０３  光ファイバ、１０４  光スプリッタ、１０５  ユーザ端末、１０６  上位ネットワーク、１１１，１５１  ＰＯＮインターフェース、１１２  ユーザインターフェース、１１３，１５３  ロジカルリンク制御部、１１４，１５４  通信要否判定部、１１５，１５５  送信／受信部、１１６  光トランシーバ、Ｓ１〜Ｓ７  ステップ、ｔ１  第１の時間、ｔ２  第２の時間。
【図１】
0006617831.tif 000002
【図２】
0006617831.tif 000003
【図３】
0006617831.tif 000004
【図４】
0006617831.tif 000005
【図５】
0006617831.tif 000006
【図６】
0006617831.tif 000007
【図７】
0006617831.tif 000008
【図８】
0006617831.tif 000009
【図９】
0006617831.tif 000010
【図１０】
0006617831.tif 000011